(57)【要約】【課題】リップスティック、携帯用香料スプレー容器等の倒れやすい形状の商品を、自立状態で陳列棚に陳列することができると共に、陳列棚において目立たせることができ、商品に関する表示（商標等）の面積を大きく確保することができる包装品を提供すること。【解決手段】倒れやすい形状の被包装物Ｃを収納可能な収納部２を有する自立補助袋１と、該収納部２に収納された被包装物Ｃとからなり、前記自立補助袋１は、前記被包装物Ｃを所定の自立状態で支持して前記収納部２に収納し、該被包装物Ｃを支持した状態で自立可能に構成されている。【選択図】    図１
2004189273.tif 000002
【特許請求の範囲】
【請求項１】
倒れやすい形状の被包装物を収納可能な収納部を有する自立補助袋と、該収納部に収納された被包装物とからなり、
前記自立補助袋は、前記被包装物を所定の自立状態で支持して前記収納部に収納し、該被包装物を支持した状態で自立可能に構成されている包装品。
【請求項２】
前記自立補助袋は、一対の側壁フィルムと該一対の側壁フィルムの下縁部に接合される底壁フィルムとからなり、該一対の側壁フィルムの上縁部及び両側縁部が相互に接合されると共に、該一対の側壁フィルムの下縁部それぞれと前記底壁フィルムの縁部とが接合されることにより、前記収納部が形成されており、
前記収納部は、その幅が部分的に狭くなっている幅狭部を備えており、前記被包装物は、該幅狭部で自立状態で支持されている請求項１記載の包装品。
【請求項３】
前記自立補助袋における前記収納部を構成する部分が、透明又は半透明の素材から形成されている請求項１又は２記載の包装品。
【請求項４】
前記被包装物の外面に該被包装物に関する表示が付されている請求項３記載の包装品。
【請求項５】
前記被包装物は、直立状態で支持されている請求項１〜４の何れかに記載の包装品。
【請求項６】
前記被包装物は、斜行状態で支持されている請求項１〜４の何れかに記載の包装品。
【請求項７】
前記自立補助袋の上部に、該自立補助袋の吊り下げ用の吊り下げ孔が設けられている請求項１〜６の何れかに記載の包装品。
【発明の詳細な説明】
【０００１】
【発明の属する技術分野】
本発明は、小型商品の一袋包装形態である包装品、詳しくは、リップスティック、携帯用香料スプレー容器等の倒れやすい形状の小型の商品を、自立状態で陳列棚に陳列することのできる包装品に関する。
【０００２】
【従来の技術及び発明が解決しようとする課題】
リップスティック、口紅、携帯用香料スプレー容器、日焼け止めクリーム容器等の商品が市販されている。
しかし、これらの商品は、小型細長形態を有しているため、商品陳列棚において、自立させることが困難であると共に、目立ち難く、商品に関する表示（商標等）の面積を大きく確保することができない。
【０００３】
一方、実開平６−３８４９号公報には、乾燥麺を起立状態で収納した包装用袋が記載されている。しかし、該公報記載の包装用袋においては、その内部に窒素ガスを充填しているが、該乾燥麺が該内部を容易に移動してしまい、乾燥麺を所定の自立状態で支持することができない。
【０００４】
従って、本発明の目的は、リップスティック、携帯用香料スプレー容器等の倒れやすい形状の商品を、自立状態で陳列棚に陳列することができると共に、陳列棚において目立たせることができ、商品に関する表示（商標等）の面積を大きく確保することができる包装品を提供することにある。
【０００５】
【特許文献１】
実開平６−３８４９号公報
【０００６】
【課題を解決するための手段】
本発明は、倒れやすい形状の被包装物を収納可能な収納部を有する自立補助袋と、該収納部に収納された被包装物とからなり、前記自立補助袋は、前記被包装物を所定の自立状態で支持して前記収納部に収納し、該被包装物を支持した状態で自立可能に構成されている包装品を提供することにより、上記目的を達成したものである。
【０００７】
【発明の実施の形態】
以下、本発明の包装品を、その好ましい一実施形態である第１実施形態について、図１及び図２を参照して説明する。
第１実施形態の包装品は、図１及び図２に示すように、倒れやすい形状の被包装物（スプレー容器）Ｃを収納可能な収納部２を有する自立補助袋１と、該収納部２に収納された被包装物Ｃとからなり、前記自立補助袋１は、前記被包装物Ｃを所定の自立状態で支持して前記収納部２に収納し、該被包装物Ｃを支持した状態で自立可能に構成されている。
【０００８】
第１実施形態の包装品について更に詳述する。
本発明の包装品における、倒れやすい形状の被包装物Ｃとしては、特に小型細長形態を有するものが挙げられ、例えば、リップスティック、口紅、携帯用香料スプレー容器、日焼け止めクリーム容器、スタイリング剤、マニキュア、ファンデーション、制汗剤等の化粧料用容器、調味料等の食品用容器等の商品が挙げられる。これらを収納した小箱も含まれる。
倒れやすい形状の被包装物Ｃは、少なくとも定形性を有する固体であり、気体、液体等の固体以外のもの、流動体、粒状物等の定形性を有していないもの等は含まれない。本実施形態における被包装物Ｃは、略円筒形状の携帯用香料スプレー容器である。
前記被包装物Ｃの外面には、該被包装物Ｃに関する表示（図示省略）が付されている。該表示としては、被包装物Ｃの商標、用途、効能等が挙げられる。また、被包装物以外の商品紹介に関する表示を付することもできる。
【０００９】
前記自立補助袋１は、図１及び図２に示すように、一対の側壁フィルム３，４と該一対の側壁フィルム３，４の下縁部３３，４３に接合される底壁フィルム５とからなり、該一対の側壁フィルム３，４の上縁部３１，４１及び両側縁部３２，４２が相互に接合されると共に、該一対の側壁フィルム３，４の下縁部３３，４３それぞれと前記底壁フィルム５の縁部５１，５１とが接合されることにより、前記収納部２が形成されている。尚、図１においては、一方の側壁フィルム３の右半分の図示を仮想的に省略している。
【００１０】
自立補助袋１は、図１に示すように、正面視で高さ方向に左右対称に構成されており、一対の側壁フィルム３の上縁部３１と側壁フィルム４の上縁部４１とは、接合部６１で接合されている。一対の側壁フィルム３の両側縁部３２と側壁フィルム４の両側縁部４２とは、それぞれ接合部６２で接合されている。
側壁フィルム３の下縁部３３及び側壁フィルム４の下縁部４３と底壁フィルム５の縁部５１，５１とは、底壁フィルム５が上方に向けて（収納部２に向けて）湾曲した形状となるように、接合部６３で接合されている。湾曲した底壁フィルム５の頂部５２が被包装物Ｃの載置面となる。
【００１１】
一対の側壁フィルム３，４及び底壁フィルム５は、矩形のフィルム材からなる。該フィルム材としては、種々のフィルム材を用いることができるが、例えば、ポリエチレンテレフタレート（ＰＥＴ）、ナイロン（Ｎｙ）、ポリプロピレン（ＰＰ）、ポリエチレン（ＰＥ）等のオレフィン系樹脂や、ポリ乳酸（ＰＬＡ）のような生分解性樹脂等、またはそれらの組み合わせからなる樹脂が挙げられる。
本実施形態においては、側壁フィルム３，４及び底壁フィルム５として、透明のフィルム素材（樹脂）を用いており、そのため、前記自立補助袋１における前記収納部２を構成する部分を含む自立補助袋１全体が、透明の素材から形成されている。
自立補助袋１の表面には、詳細には、一対の側壁フィルム３，４の表面には、被包装物Ｃに関する表示（図示省略）が付されている。該表示は、種々の手段を用いて付すことができるが、例えば、フィルムへの印刷、ラベルの貼着等が用いられる。該表示としては、被包装物Ｃの商標、用途、効能等が挙げられる。また、被包装物以外の商品紹介に関する表示を付することもできる。
【００１２】
一対の側壁フィルム３，４及び底壁フィルム５の大きさ（高さ、幅、面積）は、被包装物Ｃの大きさや陳列時の目立たせる程度により種々の大きさとすることができるが、側壁フィルム３，４の高さは、被包装物Ｃの高さの１．３〜３．０倍が好ましく、１．３〜１．５倍が更に好ましい。自立補助袋１構成時における底壁フィルム５の面積、即ち自立補助袋１の底面積は、被包装物Ｃの底面積の１．３〜３．０倍が好ましく、１．３〜１．５倍が更に好ましい。
【００１３】
前記収納部２は、図１に示すように、その幅が部分的に狭くなっている幅狭部７を備えている。
幅狭部７は、一対の側壁フィルム３，４の内面が相互に、側壁フィルム３，４の前記接合部６２における高さ方向中央部から連続する台形状の幅狭接合部７１で接合されることにより形成されている。一対の幅狭接合部７１により、収納部２の全体形状は、側面視で略砂時計状になっている。
【００１４】
収納部２の幅狭部７は、Ｘ−Ｘ断面視で、略楕円形状を有しており、直立した空間を形成している。そして、該幅狭部７で、前記被包装物Ｃを直立状態で支持できるようになっている。収納部２の幅狭部７における断面積は、図２に示すように、Ｘ−Ｘ断面視で、被包装物Ｃの断面積より若干大きくなっており、好ましくは、１．２〜３．０倍大きく、更に好ましくは１．２〜１．５倍大きくなっている。
接合部６１，６２，６３及び幅狭接合部７は、種々の接合手段により形成することができるが、例えば、ヒートシール、接着剤を用いて形成することができる。
【００１５】
本実施形態の包装品においては、前述した構成の幅狭部７で、図１及び図２に示すように、被包装物Ｃが自立状態で支持されている。
尚、本発明の包装品においては、必ずしも収納部の気密性、水密性が要求されず、場合によっては収納部の通気性を必要とする場合もあるので、収納部の気密性、水密性の有無は、被包装物によって適宜選択される。
【００１６】
このように構成された第１実施形態の包装品においては、被包装物Ｃであるスプレー容器が所定の自立状態、具体的には直立状態で支持されて、自立補助袋１の収納部２に収納されているため、該スプレー容器のような、倒れやすい形状の被包装物Ｃを、自立状態で陳列棚に陳列することができる。また、自立補助袋１の表面に、被包装物Ｃの商標、用途、効能等を大きく表示することができ、被包装物Ｃである商品を陳列棚に目立つように陳列することができる。また、被包装物Ｃである商品を、陳列棚に直接載置するよりも高い位置に配置することができる。
また、自立補助袋１における収納部２を構成する部分が、透明の素材から形成されているため、包装（収納）されている被包装物Ｃ自体及びそれに付された商標、用途、効能等の表示を自立補助袋１の外部から視認可能とすることができる。
【００１７】
次に、本発明の包装品の他の実施形態について説明する。これらの実施形態については、図１及び図２に示す第１実施形態と異なる点についてのみ説明し、特に説明しない点については、図１及び図２に示す第１実施形態に関する説明が適宜適用される。
【００１８】
図３に示す実施形態は、図１及び図２に示す第１実施形態の一部の形態を変更した別の実施形態であり、図３に示す実施形態の包装品においては、図１及び図２に示す実施形態に比して、幅狭部７が多数の点状接合部７２で形成されている。点状接合部７２は、従来公知の手段を用いて形成される。それ以外の構成については、図１及び図２に示す実施形態と同様である。
図３に示す実施形態の包装品においても、図１及び図２に示す第１実施形態の包装品と同様の効果が得られる。
【００１９】
また、第２実施形態の包装品は、図４に示すように、自立補助袋１における収納部２の幅狭部７が、斜行した空間状に形成されており、該収納部２に収納される被包装物Ｃが斜行状態で支持されるようになっている。一対の幅狭接合部７１は、図４に示すように、点対称の直角三角形形状を有している。それ以外の構成については、図１及び図２に示す第１実施形態と同様である。
このように構成された第２実施形態の包装品によれば、図１及び図２に示す第１実施形態の包装品と同様の効果が得られる。更に、第２実施形態の包装品においては、被包装物Ｃを収納部２で斜行状態で支持することができるので、陳列棚に、被包装物Ｃである商品を斜行状態で陳列することができる。
【００２０】
本発明の包装品は、前述した実施形態に制限されず、倒れやすい形状の被包装物を収納可能な収納部を有する自立補助袋と、該収納部に収納された被包装物とからなり、前記自立補助袋は、前記被包装物を所定の自立状態で支持して前記収納部に収納し、該被包装物を支持した状態で自立可能に構成されている包装品であれば良い。
前記自立補助袋１の上部に、該自立補助袋１の吊り下げ用の吊り下げ孔（図示せず）を設けることができる。そのような構成の包装品によれば、被包装物である商品を自立補助袋１と共に吊り下げた状態で陳列することもできる。
【００２１】
前記自立補助袋１における前記収納部２を構成する部分を、半透明の素材から形成することができる。自立補助袋１の全部又は一部を不透明の素材から形成することもできる。被包装物Ｃを収納する箇所は透明又は半透明とし、且つ他の箇所はディスプレー用に加色等された不透明とすることもできる。
１個の自立補助袋に、複数個の被包装物を包装することもできる。自立補助袋及びその収納部の構成及び形態は、被包装物の形態、個数に応じた種々の構成及び形態とすることができる。
本発明の前記実施形態のそれぞれ異なる部分を、適宜変更したり組み合わせた形態とすることもできる。
【００２２】
【発明の効果】
本発明の包装品によれば、リップスティック、携帯用香料スプレー容器等の倒れやすい形状の商品を、自立状態で陳列棚に陳列することができると共に、陳列棚において目立たせることができ、商品に関する表示（商標等）の面積を大きく確保することができる。
【図面の簡単な説明】
【図１】図１は、本発明の包装品の第１実施形態を示す斜視図で、左半分は外観図、右半分は一方の側壁フィルムの図示を仮想的に省略した破断図である。
【図２】図２は、図１に示すＸ−Ｘ断面図である。
【図３】図３は、本発明の包装品の第１実施形態の一部を変更した別の実施形態を示す斜視図である（図１相当図）。
【図４】図４は、本発明の包装品の第２実施形態を示す斜視図である（図１相当図）。
【符号の説明】
１  自立補助袋
２  収納部
３、４  側壁フィルム
３１、４１  上縁部
３２、４２  側縁部
３３、４３  下端部
５  底壁フィルム
５１  縁部
６１、６２、６３  接合部
７  幅狭部
７１  幅狭接合部
７２  点状接合部
Ｃ  被包装物（スプレー容器）
【図１】
2004189273.tif 000003
【図２】
2004189273.tif 000004
【図３】
2004189273.tif 000005
【図４】
2004189273.tif 000006